(57)【要約】【課題】乗物用カップホルダを嵩張らせることなく飲物容器の保持を適切に行える構成とすること。【解決手段】所定の開口方向から差し込まれた飲物容器を外周側から囲い込んだ形に保持することのできる囲い部１Ａを有するカップホルダ１であって、所定の開口方向に延出するコイル形状に巻かれて囲い部１Ａを成すばね部材２と、ばね部材２を支えるテーブル１０と、テーブル１０に対してばね部材２を囲い部１Ａを成す展開状態から延出長さを縮める方向に押し込むことでばね部材２を延出長さの縮められた収納状態に解除可能に係止させることのできる係止爪１２と、を有する。【選択図】図６
2019137152.tif 000002
【特許請求の範囲】
【請求項１】
所定の開口方向から差し込まれた飲物容器を外周側から囲い込んだ形に保持することのできる囲い部を有する乗物用カップホルダであって、
前記所定の開口方向に延出するコイル形状に巻かれて前記囲い部を成すばね部材と、
該ばね部材を支えるベースと、
該ベースに対して前記ばね部材を前記囲い部を成す展開状態から延出長さを縮める方向に押し込むことで前記ばね部材を延出長さの縮められた収納状態に解除可能に係止させることのできる係止部と、を有する乗物用カップホルダ。
【請求項２】
請求項１に記載の乗物用カップホルダであって、
前記ばね部材が、前記所定の開口方向に向かって開口を広げる竹の子ばねから成る乗物用カップホルダ。
【請求項３】
請求項２に記載の乗物用カップホルダであって、
前記ばね部材が、前記展開状態においてコイル形状に巻かれた素線の前記所定の開口方向に隣り合う断面同士が前記所定の開口方向に配置を重ねる展開形状を成す乗物用カップホルダ。
【発明の詳細な説明】
【技術分野】
【０００１】
本発明は、乗物用カップホルダに関する。詳しくは、所定の開口方向から差し込まれた飲物容器を外周側から囲い込んだ形に保持する囲い部を有する乗物用カップホルダに関する。
【背景技術】
【０００２】
従来、乗物用シートに備え付けられたテーブルに凹状のカップホルダが設けられた構成が知られている（特許文献１）。上記カップホルダは、その内部にセットされた飲物容器を底部に底付きさせつつ外周側から囲い込んだ形に支持することのできる有底の凹形状に形成されている。
【先行技術文献】
【特許文献】
【０００３】
【特許文献１】特開２００５−１９７号公報
【発明の概要】
【発明が解決しようとする課題】
【０００４】
上記従来技術では、テーブルが薄型である場合に、カップホルダに十分な差し込み深さを設定することができず、飲物容器を適切に保持することが難しくなる。しかし、上記テーブルに容器状の別部材を追加することは、構成全体の大型化を招くため、好ましくない。本発明は、上記問題を解決するものとして創案されたものであって、本発明が解決しようとする課題は、乗物用カップホルダを嵩張らせることなく飲物容器の保持を適切に行える構成とすることにある。
【課題を解決するための手段】
【０００５】
上記課題を解決するために、本発明の乗物用カップホルダは次の手段をとる。
【０００６】
第１の発明は、所定の開口方向から差し込まれた飲物容器を外周側から囲い込んだ形に保持することのできる囲い部を有する乗物用カップホルダであって、所定の開口方向に延出するコイル形状に巻かれて囲い部を成すばね部材と、ばね部材を支えるベースと、ベースに対してばね部材を囲い部を成す展開状態から延出長さを縮める方向に押し込むことでばね部材を延出長さの縮められた収納状態に解除可能に係止させることのできる係止部と、を有する。
【０００７】
この第１の発明によれば、ばね部材を展開状態とすることで、その内部に飲物容器を深く差し込んで外周側から安定的に囲い込んだ形に保持することのできる状態とすることができる。また、ばね部材を収納状態に押し込んで係止させることにより、ばね部材を不使用時に嵩張らせない状態としておくことができる。
【０００８】
第２の発明は、上述した第１の発明において、次の構成とされているものである。ばね部材が、所定の開口方向に向かって開口を広げる竹の子ばねから成る。
【０００９】
この第２の発明によれば、飲物容器が逆円錐台形状となっている場合に、ばね部材を飲物容器の形に適合させて、飲物容器をより安定的に外周側から囲い込んだ形に保持することができる。
【００１０】
第３の発明は、上述した第２の発明において、次の構成とされているものである。ばね部材が、展開状態においてコイル形状に巻かれた素線の所定の開口方向に隣り合う断面同士が所定の開口方向に配置を重ねる展開形状を成す。
【００１１】
この第３の発明によれば、ばね部材によって、外周面に隙間の形成されにくいカップホルダを構成することができる。
【図面の簡単な説明】
【００１２】
【図１】実施例１の乗物用カップホルダの概略構成を表した斜視図である。
【図２】カップホルダに飲物容器がセットされた状態を表した斜視図である。
【図３】ばね部材を収納状態に切り換えた状態を表した斜視図である。
【図４】図２の要部拡大図である。
【図５】図４のＶ−Ｖ線断面図である。
【図６】図３の要部拡大図である。
【図７】図６のＶＩＩ−ＶＩＩ線断面図である。
【図８】実施例２の乗物用カップホルダの概略構成を表した斜視図である。
【発明を実施するための形態】
【００１３】
以下に、本発明を実施するための形態について、図面を用いて説明する。
【実施例１】
【００１４】
始めに、実施例１のカップホルダ１（乗物用カップホルダ）の構成について、図１〜図７を用いて説明する。なお、以下の説明において、前後上下左右等の各方向を示す場合には、各図中に示されたそれぞれの方向を指すものとする。図１に示すように、本実施例のカップホルダ１は、航空機用シートのシートバックＳＢの背面部に取り付けられた展開格納可能なテーブル１０に設けられている。
【００１５】
上述したテーブル１０は、略平板形状の樹脂板により構成されており、シートバックＳＢの背面部に左右一対のヒンジ軸１０Ａにより起倒回転可能にヒンジ連結された状態として設けられている。上記連結により、テーブル１０は、シートバックＳＢの背面部に折り畳まれた格納状態と、同格納状態から後側に倒されて水平状に展開された使用状態と、に切り換えられるようになっている。
【００１６】
そして、上述したテーブル１０の天板面１０Ｂ上には、同天板面１０Ｂ上から容器状に突出する形に展開されて飲物容器Ｃを上側から差し込んで保持することのできるカップホルダ１が設けられている。上述したカップホルダ１は、具体的には、断面略矩形状の素線が逆円錐台形状に巻かれた竹の子ばねから成るばね部材２によって構成されている。上述したばね部材２は、その逆円錐台形状を成す下縁側の端部２Ａが、上述したテーブル１０の天板面１０Ｂに形成された丸穴状に凹む収納溝１１の底面上に位置固定された状態に結合されて設けられている。ここで、上述したテーブル１０が本発明の「ベース」に相当する。
【００１７】
上述したばね部材２は、その不使用時には、後述する係止構造により、上述した収納溝１１内に収納された状態として保持されるようになっている。そして、上述したばね部材２は、上述した収納溝１１内での係止状態が解かれることにより、その復元力により、その下縁側の端部２Ａを支点に上側に向かって逆円錐台状に巻かれた形に延出する展開状態へと切り換えられるようになっている。
【００１８】
上記展開により、ばね部材２は、図２及び図４〜図５に示すように、上述した収納溝１１の底面を台座として、飲物容器Ｃを上側から差し込んで外周側から囲い込んだ形に保持することのできる容器状の囲い部１Ａを形成した状態とされるようになっている。それにより、ばね部材２は、図４〜図５に示すように、紙コップのような逆円錐台形状を成す飲物容器Ｃをその開口内に上側から差し込むことで、同飲物容器Ｃをその外周面形状に即した逆円錐台形状を成す内周面によって広く外周側からあてがえた状態として支持することができるようになっている。
【００１９】
詳しくは、上述したばね部材２は、図５に示すように、その展開状態では、その逆円錐台形状に巻かれた素線の高さ方向に隣り合う断面２Ｃ同士が高さ方向に配置を重ねた形状とされるようになっている。それにより、上述したばね部材２により形成されるカップホルダ１が、外周面に隙間の形成されないまとまり感のある見栄えの良い容器形状に形成されるようになっている。
【００２０】
上述したばね部材２は、図３及び図６〜図７に示すように、その不使用時には、その逆円錐台状に突出した形状全体を上側からテーブル１０の収納溝１１内に押し込む形に押圧することにより、テーブル１０の収納溝１１内に平坦な渦巻き形状に揃えられた形となって収納されるようになっている。そして、上記の収納に伴って、ばね部材２は、図６〜図７に示すように、その最外周側の巻き片が、上述したテーブル１０の収納溝１１内の対向する２箇所の側壁の上縁部から径方向内側に向かって突出する形に形成された２つの係止爪１２に上側から当てられて、これら係止爪１２により弾性的に押し窄められながらこれらを下側に乗り越える位置まで押し込まれて復元し、各係止爪１２によって上側から押さえ付けられた状態となって保持されるようになっている。ここで、上述した各係止爪１２が本発明の「係止部」に相当する。
【００２１】
それにより、ばね部材２は、上述した収納溝１１から突出しない形に収められた状態として、テーブル１０を図１で前述したシートバックＳＢの背面部にコンパクトに折り畳めるようにすることができるようになっている。上述したばね部材２は、詳しくは、図６に示すように、その上縁側の端部２Ｂが外向きに折り曲げられた形状とされており、ばね部材２全体が上述した収納溝１１内に収納される時には、併せて収納溝１１内に収納されるようになっている。
【００２２】
そして、上記のように収納されたばね部材２は、上述した外向きに折り曲げられた上縁側の端部２Ｂを指で引掛けて引き上げるように操作することにより、上述した各係止爪１２による係止状態から外されて、その復元力により、図４〜図５で前述した展開状態へと展開されるようになっている。上述したばね部材２の上縁側の端部２Ｂは、詳しくは、斜め上側に面を向ける形に折り曲げられて、その下面側に指を掛け入れて引き上げやすい形に形成されている。
【００２３】
以上をまとめると、本実施例のカップホルダ１は次のような構成となっている。すなわち、所定の開口方向（上方向）から差し込まれた飲物容器（Ｃ）を外周側から囲い込んだ形に保持することのできる囲い部（１Ａ）を有する乗物用カップホルダ（１）であって、所定の開口方向（上方向）に延出するコイル形状に巻かれて囲い部（１Ａ）を成すばね部材（２）と、ばね部材（２）を支えるベース（１０）と、ベース（１０）に対してばね部材（２）を囲い部（１Ａ）を成す展開状態から延出長さを縮める方向に押し込むことでばね部材（２）を延出長さの縮められた収納状態に解除可能に係止させることのできる係止部（１２）と、を有する。
【００２４】
このような構成とされていることにより、ばね部材（２）を展開状態とすることで、その内部に飲物容器（Ｃ）を深く差し込んで外周側から安定的に囲い込んだ形に保持することのできる状態とすることができる。また、ばね部材（２）を収納状態に押し込んで係止させることにより、ばね部材（２）を不使用時に嵩張らせない状態としておくことができる。
【００２５】
また、ばね部材（２）が、所定の開口方向（上方向）に向かって開口を広げる竹の子ばねから成る。このような構成とされていることにより、飲物容器（Ｃ）が逆円錐台形状となっている場合に、ばね部材（２）を飲物容器（Ｃ）の形に適合させて、飲物容器（Ｃ）をより安定的に外周側から囲い込んだ形に保持することができる。
【００２６】
また、ばね部材（２）が、展開状態においてコイル形状に巻かれた素線の所定の開口方向に隣り合う断面（２Ｃ）同士が所定の開口方向に配置を重ねる展開形状を成す。このような構成とされていることにより、ばね部材（２）によって、外周面に隙間の形成されにくいカップホルダ（１）を構成することができる。
【実施例２】
【００２７】
続いて、実施例２のカップホルダ１（乗物用カップホルダ）の構成について、図８を用いて説明する。本実施例では、カップホルダの囲い部を構成する逆円錐台形状に展開されるばね部材に、樹脂製のハウジング３が外周側から覆い被された形に取り付けられている。上述したハウジング３は、ばね部材の展開形状よりもひとまわり大きな逆円錐台形状に形成されており、その底側の縁部が上述したテーブル１０（ベース）の収納溝１１の底面上に位置固定された状態に結合され、上側の縁部がばね部材の上縁側となる最外周側の巻き片上に掛かるように内側に向かってフランジ状に張り出した形に形成されている。
【００２８】
上述したハウジング３は、全体が高さ方向に収縮可能な蛇腹構造３Ａを有した形状に形成されており、内部のばね部材が展開状態から収納状態に押し込まれる動きによって蛇腹を折り畳む形に収縮されて、ばね部材と共に収納溝１１内に収納されるようになっている。上記以外の構成については、実施例１で示したカップホルダ１と実質的に同一の構成となっているため、同一の符号を付して説明を省略することとする。
【００２９】
以上、本発明の実施形態を２つの実施例を用いて説明したが、本発明は上記実施例のほか各種の形態で実施することができるものである。例えば、本発明の乗物用カップホルダは、航空機の他、自動車や鉄道等の車両や船舶等の様々な乗物用に供することができるものである。また、乗物用カップホルダは、乗物内のシートに取り付けられるものの他、乗物の側壁等のボデーに取り付けられて設けられるものであってもよい。また、ばね部材を支えるベースは、乗物のテーブル以外の部材から成るものであっても良い。
【００３０】
また、コイル状に巻かれてカップホルダを成すばね部材は、逆円錐台状ではなく、円錐台状や寸胴な円筒状に巻かれてカップホルダを成すものであっても良い。また、上記ばね部材にセットされる飲物容器は、逆円錐台状に傾斜した外周面を持つ形の他、ペットボトル等の寸胴な円筒形状や直方体等の様々な形状から成るものであってもよい。
【００３１】
また、ばね部材は、必ずしもそのコイル形状に巻かれた素線の断面同士が展開状態において所定の開口方向に配置を重ねる形状とされるものでなくてもよく、素線の断面同士が間をあけた形に展開されるものであってもよい。また、ばね部材の素線の断面形状は、丸断面等の矩形断面以外の形状から成るものであってもよい。また、ばね部材は、その底側の巻き片によって飲物容器を底側から支える台座を形成するものであってもよい。
【００３２】
また、ばね部材を収納状態に係止する係止部は、収納状態に押し込まれたばね部材に引掛けられて係止する爪構造の他、収納状態に押し込まれたばね部材を摺動摩擦抵抗力により係止するものであってもよい。また、ばね部材の開口する所定の開口方向は、斜め上向きであってもよい。
【符号の説明】
【００３３】
１      カップホルダ（乗物用カップホルダ）
１Ａ    囲い部
２      ばね部材
２Ａ    下縁側の端部
２Ｂ    上縁側の端部
２Ｃ    断面
３      ハウジング
３Ａ    蛇腹構造
１０    テーブル（ベース）
１０Ａ  ヒンジ軸
１０Ｂ  天板面
１１    収納溝
１２    係止爪（係止部）
Ｃ      飲物容器
ＳＢ    シートバック
【図１】
2019137152.tif 000003
【図２】
2019137152.tif 000004
【図３】
2019137152.tif 000005
【図４】
2019137152.tif 000006
【図５】
2019137152.tif 000007
【図６】
2019137152.tif 000008
【図７】
2019137152.tif 000009
【図８】
2019137152.tif 000010